【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
エジェクタ式冷凍サイクル装置であって、
冷媒を圧縮して吐出する圧縮機（１２）と、
前記圧縮機から吐出された冷媒を放熱させる放熱器（１４）と、
前記放熱器から流出した冷媒を噴出させるノズル部（１６ａ）、前記ノズル部から噴出された冷媒の流れにより冷媒を吸引する吸引部（１６ｂ）、および前記ノズル部から噴出された冷媒と前記吸引部から吸引された冷媒とを混合して昇圧する昇圧部（１６ｃ）を含むエジェクタ（１６）と、
前記吸引部に流入する冷媒の流量を調整する弁部品（Ｘ１）を含む流量調整部（５０）とを備え、
前記弁部品は、
冷媒が流通する冷媒室（Ｘ１９）、前記冷媒室に連通する第１冷媒孔（Ｘ１６）、および前記冷媒室に連通する第２冷媒孔（Ｘ１７）が形成される基部（Ｘ１１、Ｘ１２１、Ｘ１３）と、
自らの温度が変化すると変位する駆動部（Ｘ１２３、Ｘ１２４、Ｘ１２５）と、
前記駆動部の温度の変化による変位を増幅する増幅部（Ｘ１２６、Ｘ１２７）と、
前記増幅部によって増幅された変位が伝達されて前記冷媒室内で動くことで、前記冷媒室を介した前記第１冷媒孔と前記第２冷媒孔との間の連通、遮断を切り替える可動部（Ｘ１２８）と、を有し、
前記駆動部が温度の変化によって変位したときに、前記駆動部が付勢位置（ＸＰ２）において前記増幅部を付勢することで、前記増幅部がヒンジ（ＸＰ０）を支点として変位するとともに、前記増幅部と前記可動部の接続位置（ＸＰ３）で前記増幅部が前記可動部を付勢し、
前記ヒンジから前記付勢位置までの距離よりも、前記ヒンジから前記接続位置までの距離の方が長く、
前記エジェクタ式冷凍サイクル装置は、
前記放熱器から流出した冷媒を一方の冷媒と他方の冷媒とに分岐させる分岐部（２０）と、
冷媒を蒸発させる第１蒸発器（１８）と、
冷媒を蒸発させる第２蒸発器（２４）とを備え、
前記一方の冷媒が前記ノズル部、前記昇圧部、前記第１蒸発器の順に流れるように、前記分岐部、前記エジェクタおよび前記第１蒸発器は接続されており、
前記他方の冷媒が前記流量調整部、前記第２蒸発器、前記吸引部の順に流れるように、前記分岐部、前記流量調整部、前記第２蒸発器および前記エジェクタは接続されており、
前記流量調整部（５０）は、前記第２蒸発器に流入する冷媒の流量を調整するとともに、前記第２蒸発器に流入する冷媒を減圧させ、
前記流量調整部（５０）は、前記流量調整部の冷媒入口部（５１ａ）から前記流量調整部の冷媒出口部（５１ｂ）に至る冷媒流路を形成する流路形成部品（５１、Ｘ２）と、
前記冷媒流路を開閉する開閉弁（５０ａ）とを有し、
前記冷媒流路は、固定絞り（５０ｂ）と、前記冷媒入口部から流入した冷媒を前記固定絞りを迂回させて前記冷媒出口部に導くための迂回流路（ＸＶ１、ＸＶ２、５５ａ、５５ｂ）とを含み、
前記弁部品は、前記迂回流路を開閉するとともに、前記迂回流路が開状態のときに前記迂回流路を流れる冷媒を減圧させる、エジェクタ式冷凍サイクル装置。
【請求項２】
エジェクタ式冷凍サイクル装置であって、
冷媒を圧縮して吐出する圧縮機（１２）と、
前記圧縮機から吐出された冷媒を放熱させる放熱器（１４）と、
前記放熱器から流出した冷媒を噴出させるノズル部（１６ａ）、前記ノズル部から噴出された冷媒の流れにより冷媒を吸引する吸引部（１６ｂ）、および前記ノズル部から噴出された冷媒と前記吸引部から吸引された冷媒とを混合して昇圧する昇圧部（１６ｃ）を含むエジェクタ（１６）と、
前記吸引部に流入する冷媒の流量を調整する弁部品（Ｘ１）を含む流量調整部（６８）とを備え、
前記弁部品は、
冷媒が流通する冷媒室（Ｘ１９）、前記冷媒室に連通する第１冷媒孔（Ｘ１６）、および前記冷媒室に連通する第２冷媒孔（Ｘ１７）が形成される基部（Ｘ１１、Ｘ１２１、Ｘ１３）と、
自らの温度が変化すると変位する駆動部（Ｘ１２３、Ｘ１２４、Ｘ１２５）と、
前記駆動部の温度の変化による変位を増幅する増幅部（Ｘ１２６、Ｘ１２７）と、
前記増幅部によって増幅された変位が伝達されて前記冷媒室内で動くことで、前記冷媒室を介した前記第１冷媒孔と前記第２冷媒孔との間の連通、遮断を切り替える可動部（Ｘ１２８）と、を有し、
前記駆動部が温度の変化によって変位したときに、前記駆動部が付勢位置（ＸＰ２）において前記増幅部を付勢することで、前記増幅部がヒンジ（ＸＰ０）を支点として変位するとともに、前記増幅部と前記可動部の接続位置（ＸＰ３）で前記増幅部が前記可動部を付勢し、
前記ヒンジから前記付勢位置までの距離よりも、前記ヒンジから前記接続位置までの距離の方が長く、
前記エジェクタ式冷凍サイクル装置は、
前記昇圧部から流出した冷媒を気相冷媒と液相冷媒とに分離し、分離した気相冷媒を前記圧縮機に流入させる気液分離器（６０）と、
前記気液分離器で分離された液相冷媒を蒸発させ、蒸発後の冷媒を前記吸引部に流入させる蒸発器（６２）と、
前記放熱器から流出した冷媒を、前記エジェクタおよび前記気液分離器を迂回させて、前記蒸発器に導くバイパス流路（６４）とを備え、
前記流量調整部（６８）は、前記バイパス流路を流れる冷媒の流量を調整するとともに、前記バイパス流路を流れる冷媒を減圧させる、エジェクタ式冷凍サイクル装置。
【請求項３】
前記弁部品は、当該弁部品が正常に作動しているか故障しているかを判別するための信号を出力する故障検知部（Ｘ５０）を備えている、請求項１または２に記載のエジェクタ式冷凍サイクル装置。
【請求項４】
前記信号は、前記増幅部の歪み量に応じた信号である請求項３に記載のエジェクタ式冷凍サイクル装置。
【請求項５】
前記駆動部は、通電されることで発熱し、
前記故障検知部は、前記弁部品が故障している場合に前記弁部品に対する通電を停止する装置（Ｘ５５）に、前記信号を出力する、請求項３または４に記載のエジェクタ式冷凍サイクル装置。
【請求項６】
前記故障検知部は、前記弁部品が故障している場合に、人に報知を行う報知装置（Ｘ５６）を作動させる装置（Ｘ５５）に、前記信号を出力する、請求項３または４に記載のエジェクタ式冷凍サイクル装置。
【請求項７】
前記弁部品は、半導体チップによって構成されている請求項１ないし６のいずれか１つに記載のエジェクタ式冷凍サイクル装置。
【手続補正２】
【補正対象書類名】明細書
【補正対象項目名】０００６
【補正方法】変更
【補正の内容】
【０００６】
上記目的を達成するため、請求項１または２に記載の発明によれば、
エジェクタ式冷凍サイクル装置は、
冷媒を圧縮して吐出する圧縮機（１２）と、
圧縮機から吐出された冷媒を放熱させる放熱器（１４）と、
放熱器から流出した冷媒を噴出させるノズル部（１６ａ）、ノズル部から噴出された冷媒の流れにより冷媒を吸引する吸引部（１６ｂ）、およびノズル部から噴出された冷媒と吸引部から吸引された冷媒とを混合して昇圧する昇圧部（１６ｃ）を含むエジェクタ（１６）と、
吸引部に流入する冷媒の流量を調整する弁部品（Ｘ１）を含む流量調整部とを備え、
弁部品は、
冷媒が流通する冷媒室（Ｘ１９）、冷媒室に連通する第１冷媒孔（Ｘ１６）、および冷媒室に連通する第２冷媒孔（Ｘ１７）が形成される基部（Ｘ１１、Ｘ１２１、Ｘ１３）と、
自らの温度が変化すると変位する駆動部（Ｘ１２３、Ｘ１２４、Ｘ１２５）と、
駆動部の温度の変化による変位を増幅する増幅部（Ｘ１２６、Ｘ１２７）と、
増幅部によって増幅された変位が伝達されて冷媒室内で動くことで、冷媒室を介した第１冷媒孔と第２冷媒孔との間の連通、遮断を切り替える可動部（Ｘ１２８）と、を有し、
駆動部が温度の変化によって変位したときに、駆動部が付勢位置（ＸＰ２）において増幅部を付勢することで、増幅部がヒンジ（ＸＰ０）を支点として変位するとともに、増幅部と可動部の接続位置（ＸＰ３）で増幅部が可動部を付勢し、
ヒンジから付勢位置までの距離よりも、ヒンジから接続位置までの距離の方が長い。
さらに、請求項１に記載の発明によれば、
エジェクタ式冷凍サイクル装置は、
放熱器から流出した冷媒を一方の冷媒と他方の冷媒とに分岐させる分岐部（２０）と、
冷媒を蒸発させる第１蒸発器（１８）と、
冷媒を蒸発させる第２蒸発器（２４）とを備え、
一方の冷媒がノズル部、昇圧部、第１蒸発器の順に流れるように、分岐部、エジェクタおよび第１蒸発器は接続されており、
他方の冷媒が流量調整部、第２蒸発器、吸引部の順に流れるように、分岐部、流量調整部、第２蒸発器およびエジェクタは接続されており、
流量調整部（５０）は、第２蒸発器に流入する冷媒の流量を調整するとともに、第２蒸発器に流入する冷媒を減圧させ、
流量調整部（５０）は、流量調整部の冷媒入口部（５１ａ）から流量調整部の冷媒出口部（５１ｂ）に至る冷媒流路を形成する流路形成部品（５１、Ｘ２）と、
冷媒流路を開閉する開閉弁（５０ａ）とを有し、
冷媒流路は、固定絞り（５０ｂ）と、冷媒入口部から流入した冷媒を固定絞りを迂回させて冷媒出口部に導くための迂回流路（ＸＶ１、ＸＶ２、５５ａ、５５ｂ）とを含み、
弁部品は、迂回流路を開閉するとともに、迂回流路が開状態のときに迂回流路を流れる冷媒を減圧させる。
また、請求項２に記載の発明によれば、
エジェクタ式冷凍サイクル装置は、
昇圧部から流出した冷媒を気相冷媒と液相冷媒とに分離し、分離した気相冷媒を圧縮機に流入させる気液分離器（６０）と、
気液分離器で分離された液相冷媒を蒸発させ、蒸発後の冷媒を吸引部に流入させる蒸発器（６２）と、
放熱器から流出した冷媒を、エジェクタおよび気液分離器を迂回させて、蒸発器に導くバイパス流路（６４）とを備え、
流量調整部（６８）は、バイパス流路を流れる冷媒の流量を調整するとともに、バイパス流路を流れる冷媒を減圧させる。
【手続補正３】
【補正対象書類名】明細書
【補正対象項目名】０００７
【補正方法】変更
【補正の内容】
【０００７】
請求項１、２に記載の発明によれば、流量調整部の弁機構として、弁部品を用いている。弁部品は、従来の電磁弁や機械式の弁と比べた小型化が可能である。弁部品の増幅部は、梃子として機能するので、駆動部の温度変化に応じた変位量が、梃子によって増幅されて可動部に伝わる。駆動部の変位量が梃子を利用して増幅されることが、そのような梃子を利用しない従来の電磁弁や機械式の弁と比べた小型化に寄与する。よって、流量調整部の弁機構として、従来の電磁弁や機械式の弁を用いる場合と比較して、流量調整部の体格を小さくすることができる。